(57)【要約】【課題】ロール状に小さく巻き込むことができ、軽量で、ヘリコプター等を使用した搬送が容易であると共に、堤防の決壊部分において短時間で仮設堤防を構成して、決壊部分からの流入水量を抑えることができる仮設堤防用袋体、仮設堤防用構造体と、仮設堤防用袋体を係留するアンカーと、仮設堤防の施工方法とを提供する。【解決手段】仮設堤防用袋体１は、片面にゴムまたは樹脂からなる被覆層が被覆された布材によって袋状に形成した。仮設堤防用構造体２４は、前記仮設堤防用袋体１の、隣り合う２つごとの接続部材５を、１つの係留索７に接続した。アンカー１８は、係留索７に設けた接続用リング２２を接続部に案内するガイドポール２０を有する。施工方法は、アンカー１８を水底に着底させた後、ガイドポール２０によって接続用リング２２を接続部に案内して接続して、係留索７を介して仮設堤防用袋体１を係留する。【選択図】図１０
2008156847.tif 000002
【特許請求の範囲】
【請求項１】
内部に注水して膨らませた状態で、水底に着底させることによって、仮設堤防として用いられる仮設堤防用袋体であって、片面に、ゴムまたは樹脂からなる被覆層が被覆された布材によって、袋状に形成されていることを特徴とする仮設堤防用袋体。
【請求項２】
布材の、幅１ｃｍあたりの引張強度が９８０Ｎ／ｃｍ以上である請求項１に記載の仮設堤防用袋体。
【請求項３】
被覆層の、布材１ｍ２あたりの被覆量が２ｋｇ／ｍ２以下である請求項１に記載の仮設堤防用袋体。
【請求項４】
内部に、前記内部を２つの領域に仕切ると共に、仕切られた一方の領域に注水した際に、他方の領域の方向へ突出するように変形する仕切膜が設けられている請求項１に記載の仮設堤防用袋体。
【請求項５】
内部に、多数のシート片が収容されている請求項１に記載の仮設堤防用袋体。
【請求項６】
両端が閉じられた筒状に形成されていると共に、前記筒の側面に、係留索を接続するための、複数の接続点が、前記筒の長さ方向に沿って一列に配列されている請求項１に記載の仮設堤防用袋体。
【請求項７】
筒の、少なくとも一方の端面にも、係留索を接続するための接続点が設けられている請求項６に記載の仮設堤防用袋体。
【請求項８】
筒の長さ方向の複数箇所に、前記筒の周方向に沿う補強帯が設けられていると共に、筒の周方向の複数箇所に、前記筒の長さ方向に沿う補強帯が設けられており、前記両方向の補強帯の交差部分に、係留索を接続するための接続点が設けられている請求項６に記載の仮設堤防用袋体。
【請求項９】
接続点が、両方向の補強帯の、交差部分の重なりによって形成される領域よりも平面形状が小さい、前記領域に固定される平板状の固定金具と、前記固定金具に取り付けられた、係留索が接続される接続金具とを有する接続部材によって構成されている請求項８に記載の仮設堤防用袋体。
【請求項１０】
内部に注水して膨らませて水底に着底させると共に、接続点に係留索を接続して係留した状態での、水底からの最大高さＨと、前記状態での、筒の長さ方向と交差する幅方向の最大幅Ｗとが、式(1)：
Ｗ≧１．２Ｈ      (1)
を満足する範囲内とされている請求項６に記載の仮設堤防用袋体。
【請求項１１】
内部に、高さ方向への拡がりを規制して、最大高さＨと、最大幅Ｗとを、式(1)の範囲内とするための膜ウェブが設けられている請求項１０に記載の仮設堤防用袋体。
【請求項１２】
片面に、ゴムまたは樹脂からなる被覆層が被覆された布材によって、両端が閉じられた筒状に形成され、かつ、前記筒の側面に、係留索を接続するための複数の接続点が、前記筒の長さ方向に沿って一列に配列された仮設堤防用袋体を備えると共に、前記仮設堤防用袋体の側面の複数の接続点が、隣り合う少なくとも２つごとに、前記仮設堤防用袋体を水底に係留するためのアンカーに接続される接続用リングを有する１つの係留索に接続されていることを特徴とする仮設堤防用構造体。
【請求項１３】
仮設堤防用袋体の、筒の、少なくとも一方の端面にも、係留索を接続するための接続点が少なくとも２つ、側面の接続点と同列に配列されていると共に、前記少なくとも２つの接続点が、１つの係留索に接続されている請求項１２に記載の仮設堤防用構造体。
【請求項１４】
仮設堤防用袋体を、係留索を介して、水底に係留するためのアンカーであって、係留索に設けられた接続用リングを接続するための接続部を有し、水底に着底されるアンカー本体と、前記アンカー本体から上方へ延設されて、アンカー本体が水底に着底した状態で、先端が水面上に突出され、前記接続用リングの孔に通されて、前記接続用リングを、アンカー本体の接続部に案内するためのガイドポールとを備えることを特徴とするアンカー。
【請求項１５】
仮設堤防の施工方法であって、係留索に設けられた接続用リングを接続するための接続部を有し、水底に着底されるアンカー本体と、前記アンカー本体から上方へ延設されて、アンカー本体が水底に着底した状態で、先端が水面上に突出される、接続用リングを前記接続部に案内するためのガイドポールとを備えたアンカーを複数個、施工領域の水中に投入する工程と、前記各アンカーの、水面上に突出されたガイドポールの先端を、片面に、ゴムまたは樹脂からなる被覆層が被覆された布材によって、両端が閉じられた筒状に形成され、かつ、前記筒の側面に、係留索を接続するための複数の接続点が、前記筒の長さ方向に沿って一列に配列された仮設堤防用袋体の、前記接続点に接続された係留索に設けられた接続用リングの孔に通した状態で、前記接続用リングを水中に投入して、アンカー本体の接続部に接続して固定する作業を、アンカーごとに順次、実施する工程と、前記仮設堤防用袋体内に水を注入して膨らませる工程とを含むことを特徴とする仮設堤防の施工方法。
【請求項１６】
河川の堤防の決壊箇所での、仮設堤防の施工方法であって、アンカーの、ガイドポールの先端を、係留索に設けられた接続用リングの孔に通した状態で、前記接続用リングを水中に投入して、アンカー本体の接続部に接続して固定する作業を、河川の上流側のアンカーから下流側のアンカーに向けて、順に実施する請求項１５に記載の仮設堤防の施工方法。
【発明の詳細な説明】
【技術分野】
【０００１】
本発明は、河川の堤防が決壊した際等に、前記決壊部分において、例えば河川側（「堤外」という）から陸地側（「堤内」という）へ流入する水量を抑制するために、水中に係留されて仮設堤防として用いられる新規な仮設堤防用袋体と、前記仮設堤防用袋体を含む仮設堤防用構造体と、前記仮設堤防用袋体を係留するためのアンカーと、前記仮設堤防用袋体を、アンカーを用いて係留して、仮設堤防を施工するための施工方法とに関するものである。
【背景技術】
【０００２】
例えば、利根川や荒川の上流で堤防が決壊すると、決壊によって溢れ出した水の大部分は、関東平野の地勢上、首都圏に流入して、およそ３０兆円を超す洪水被害を発生させると予想されている。そのため、堤防の決壊部分を短時間で塞いで、堤内に流入する水量を、できるだけ少なくする必要がある。しかし、人海戦術で多量の土嚢を投入して積み上げるといった旧来の方法では、特に、利根川等の大規模な河川における堤防の決壊部分を、短時間で塞ぐことは不可能であった。
【０００３】
すなわち、堤防が決壊する長さは、決壊部分の川幅のおよそ１／２程度であることが、経験上、知られており、川幅の広い大規模な河川ほど、堤防が決壊する長さも長大になるため、旧来の方法で決壊部分を修復するためには数日ないしは数週間を要してしまい、その間も、決壊部分からは多量の水が堤内に流入し続けることになるため、特に都市部において、甚大な被害を生じることになるのである。そこで、堤防の決壊部分を仮に塞いで、前記決壊部分から堤内に流入する水量を抑えながら、本格的な堤防の修復作業するために、前記決壊部分において、短時間で簡単に組み立てることができる仮設堤防を開発することが検討されている。
【０００４】
かかる仮設堤防としては、例えば、特許文献１に記載された、繊維製の補強層にゴムまたは樹脂を含浸させた、いわゆる繊維補強ゴム膜を用いて形成した巨大な袋体を利用することが考えられる。なお、特許文献１に記載の発明は、河川が増水して決壊に至る前の堤防上に、前記袋体を固定した状態で、内部に注水して袋体を膨張させることで、実質的に堤防を嵩上げして、水が前記堤防上を超える、いわゆる越水を防止し、それによって堤防の決壊を防ぐための技術に関するものである。
【特許文献１】特開昭６４−２１１１１号公報
【発明の開示】
【発明が解決しようとする課題】
【０００５】
しかし、特許文献１に記載された従来の袋体は、主体がゴムまたは樹脂であるため、剛直で、ロール状に小さく巻き込んだり、折り畳んだりすることが難しい上、重量も大きいため、持ち運びが容易でないという問題がある。そのため、堤防の、既に決壊して、多量の水が溢れ出している状態にある決壊部分に前記袋体を持ち込んで仮設堤防を形成することは、実質的に不可能である。
【０００６】
例えば、前記袋体をトラック等で搬送するにしても、決壊部分に近づくための道路網は、決壊部分から溢れ出した水によって、そのときには殆どが遮断されているであろうし、決壊部分以外でも多量の水を含んで強度が低下している堤防上を、トラックで走行して搬送することも不可能である。したがって、例えばヘリコプター等を使用して、堤防の決壊部分まで搬送し、空中から、決壊部分の水中に投入して、堤防と同程度の巨大な仮設堤防を構成するための新たな技術開発が必要である。
【０００７】
本発明の目的は、堤防と同程度の大きさを有するにも拘らず、ロール状に小さく巻き込んだり、折り畳んだりすることができる上、軽量であって、例えばヘリコプター等を使用した搬送が容易であると共に、堤防の決壊部分において、短時間で簡単に仮設堤防を構成して、決壊部分からの流入水量を抑えることができる仮設堤防用袋体と、前記仮設堤防用袋体を含む仮設堤防用構造体と、前記仮設堤防用袋体を係留するためのアンカーとを提供することにある。また、本発明は、前記仮設堤防用袋体を、アンカーを用いて係留して、仮設堤防を施工するための施工方法を提供することにある。
【課題を解決するための手段】
【０００８】
本発明は、内部に注水して膨らませた状態で、水底に着底させることによって、仮設堤防として用いられる仮設堤防用袋体であって、片面に、ゴムまたは樹脂からなる被覆層が被覆された布材によって、袋状に形成されていることを特徴とする仮設堤防用袋体である。前記本発明によれば、仮設堤防用袋体を、片面に、ゴムまたは樹脂からなる被覆層が被覆された布材によって形成しているため、前記仮設堤防用袋体の全体を、被覆層によって、内部に注水して膨らませるための不透水性を維持しながら、従来の、主体がゴムまたは樹脂からなるものに比べて柔軟で、ロール状に小さく巻き込んだり、折り畳んだりすることが容易である上、全体を軽くすることもできる。
【０００９】
そのため、堤防と同程度の大きさを有する前記仮設堤防用袋体を、ロール状に小さく巻き込んだり、折り畳んだりした状態とすることによって、例えばヘリコプター等を使用して、堤防の決壊部分まで、容易に搬送することができる上、搬送した仮設堤防用袋体を、空中から、前記決壊部分の水中に投入すると共に、注水して膨らませて、水底に着底させることによって、堤防と同程度の大きさを有する仮設堤防を、短時間で簡単に組み立てて、決壊部分から堤内に流入する水量を抑えることができる。
【００１０】
なお、水中で注水することによって膨らませた仮設堤防用袋体の形状を、外部の水圧に抗して維持するためには、その内圧を、およそ９．８ｋＰａ以上とする必要があり、また、前記仮設堤防用袋体としては、注水して膨らませた状態での高さが、例えば利根川等の大規模河川の堤防の場合は５ｍ以上、要求されることから、仮設堤防用袋体を形成する布材には、破断したりしないために、幅１ｃｍあたり、およそ２４５Ｎ／ｃｍ以上の高い抗張力が要求され、安全率を考慮すると、前記布材の、幅１ｃｍあたりの引張強度は９８０Ｎ／ｃｍ以上であるのが好ましい。また、仮設堤防用袋体の全体を、柔軟で、ロール状に小さく巻き込んだり、折り畳んだりすることが、さらに容易なものとすると共に、より一層、軽くすることを考慮すると、前記布材の片面に被覆される被覆層の、布材１ｍ２あたりの被覆量は２ｋｇ／ｍ２以下であるのが好ましい。
【００１１】
また、仮設堤防用袋体の内部に、前記内部を２つの領域に仕切ると共に、仕切られた一方の領域に注水した際に、他方の領域の方向へ突出するように変形する仕切膜が設けられている場合には、例えば、上流から流されてきた流木等が衝突して、前記仮設堤防用袋体が破られた際の安全性を向上することができる。すなわち、流木等が衝突して、仮設堤防用袋体の、注水して膨らませた側の領域が破られて、その破口から水が流出して、膨らませた形状を維持することができなくなった際に、前記仕切膜で仕切られた他方の領域に注水することによって、前記仕切膜を逆方向に突出するように変形させて、短時間で、膨らませた形状を復活させることができる。
【００１２】
また、仮設堤防用袋体の内部に、多数のシート片が収容されていることでも、前記仮設堤防用袋体が破られた際の安全性を向上することができる。すなわち、流木等が衝突して、仮設堤防用袋体が破られて、その破口から水が流出しだすと、その水流に乗って多数のシート片が破口の周囲に集まって、水圧によって、前記破口を塞いだ状態で、仮設堤防用袋体の内側面に押し付けられるため、前記仮設堤防用袋体の、膨らませた形状を維持することができる。そのため、前記いずれの場合にも、仮設堤防用袋体が破られた際に、決壊部分から堤内に流入する水量が増加するのを抑制して、安全性を向上することができる。
【００１３】
先に説明したように、堤防の決壊部分は、その川幅のおよそ１／２程度にも亘る長大なものとなるため、前記決壊部分に、できるだけ少数の仮設堤防用袋体を用いて、効率よく、仮設堤防を形成することを考慮すると、前記仮設堤防用袋体は、堤防の決壊部分に沿って並べることができる、両端が閉じられた筒状に形成されているのが好ましい。また、前記筒状の仮設堤防用袋体を、決壊部分において、堤外から堤内へ流入する水流による流体力に抗して、より安定して係留させることを考慮すると、前記仮設堤防用袋体の、筒の側面に、係留索を接続するための、複数の接続点が、前記筒の長さ方向に沿って一列に配列されているのが好ましい。
【００１４】
すなわち、注水して膨らませた仮設堤防用袋体を、前記複数の接続点に接続した係留索によって、筒の長さ方向の複数箇所で係留するようにすると、前記筒が、水流によって押し流されて、途中で折れ曲がったりするのを防止することができる。また、仮設堤防用袋体を、前記水流の上流側に着底されるアンカーに、筒の長さ方向と交差する高さ方向では、その１点で、係留索を介して接続することになるため、前記仮設堤防用袋体の、前記筒の長さ方向と交差する高さ方向の断面形状を、水流の影響によって、前記水流の上流側（堤外側）の、係留索の接続点において尖った、例えば略西洋梨形等にすることができる。
【００１５】
そのため、仮設堤防用袋体を、筒の長さ方向と交差する高さ方向の２点以上で係留する場合に比べて、前記仮設堤防用袋体の、水流に対する抗力係数を小さくすることができ、先に説明した、接続点を、筒の長さ方向の複数箇所に設けたことによる効果と相まって、仮設堤防用袋体を、決壊部分において、堤外から堤内へ向かう水流による流体力に抗して、より安定して係留させることが可能となる。
【００１６】
なお、前記筒状の仮設堤防用袋体を、増水して多量の水が、河川を上流から下流へ、そして堤防の決壊部分において、堤外から堤内へ流れている水中に投入して、前記決壊部分に係留する際の作業性を向上することを考慮すると、筒の、少なくとも一方の端面にも、係留索を接続するための接続点が設けられているのが好ましい。すなわち、決壊部分の上流側にアンカーを投入して、まず、筒の上流側の端面に設けた前記接続点を、前記アンカーに、係留索を介して接続した後、筒の側面に設けた複数の接続点を、河川の上流から下流へ向けて、順に、係留索を介して、対応するアンカーに接続してゆけば、筒が、水流によって押し流されて、途中で折れ曲がったりするのを防止しながら、前記筒状の仮設堤防用袋体を、堤防の決壊部分に、きれいに沿わせて係留することができるため、係留の作業性を向上することができる。
【００１７】
前記筒状の仮設堤防用袋体は、筒の長さ方向の複数箇所に、前記筒の周方向に沿う補強帯が設けられていると共に、筒の周方向の複数箇所に、前記筒の長さ方向に沿う補強帯が設けられており、前記両方向の補強帯の交差部分に、係留索を接続するための接続点が設けられているのが好ましい。前記両方向の補強帯で二重に補強された交差部分に、係留索の接続点を設けることによって、水流による流体力を受けて、接続点に応力が集中した際に、仮設堤防用袋体が破れたりするのを、確実に防止することができる。前記接続点は、具体的には、両方向の補強帯の、交差部分の重なりによって形成される領域よりも平面形状が小さい、前記領域に固定される平板状の固定金具と、前記固定金具に取り付けられた、係留索が接続される接続金具とを有する接続部材によって構成されているのが好ましい。
【００１８】
先に説明した、筒状の仮設堤防用袋体の、水流に対する抗力係数を小さくして、決壊部分において、堤外から堤内へ向かう水流による流体力に抗して、より安定して係留させると共に、水流が、着底させた仮設堤防用袋体の下側に入り込んで水底の土砂を流し出す、いわゆる洗掘が発生するのを防止することを考慮すると、前記仮設堤防用袋体は、内部に注水して膨らませて水底に着底させると共に、接続点に係留索を接続して係留した状態での、水底からの最大高さＨと、前記状態での、筒の長さ方向と交差する幅方向の最大幅Ｗとが、式(1)：
Ｗ≧１．２Ｈ      (1)
を満足する範囲内であるのが好ましい。
【００１９】
そのためには、例えば、先に説明したように、仮設堤防用袋体を、水流の上流側に着底されるアンカーに、筒の長さ方向と交差する高さ方向の１点で、係留索を介して接続した際に、水流の流速等に応じて、注水する水圧等を調整することで、前記高さ方向の断面形状を、堤外側の、係留索の接続点において尖った略西洋梨形等に維持するようにすればよい。また、その際に、最大高さＨが、仮設堤防に求められる所定の高さを満足できるようにするためには、筒の周方向の周長を、断面形状が円である場合の周長、すなわちπ×Ｈより、およそ１０％以上、長めに設定しておくのが好ましい。
【００２０】
ただし、それだけでは、水流の流速等の変動によって、高さ方向の断面形状が、式(1)を満足できない場合を生じるおそれがあり、どのような条件の変動が生じても、式(1)を満足し続けることができるようにするためには、前記仮設堤防用袋体の内部に、高さ方向への拡がりを規制して、最大高さＨと、最大幅Ｗとを、式(1)の範囲内とするための膜ウェブが設けられているのが好ましい。
【００２１】
本発明の仮設堤防用構造体は、片面に、ゴムまたは樹脂からなる被覆層が被覆された布材によって、両端が閉じられた筒状に形成され、かつ、前記筒の側面に、係留索を接続するための複数の接続点が、前記筒の長さ方向に沿って一列に配列された仮設堤防用袋体を備えると共に、前記仮設堤防用袋体の側面の複数の接続点が、隣り合う少なくとも２つごとに、前記仮設堤防用袋体を水底に係留するためのアンカーに接続される接続用リングを有する１つの係留索に接続されていることを特徴とするものである。
【００２２】
前記本発明の仮設堤防用構造体によれば、仮設堤防用袋体の、筒の側面に一列に配列された複数の接続点のうち、隣り合う少なくとも２つの接続点を、１つの係留索を介して、いわゆるＹ字接続やＶ字接続をして、安定に係留させることができる。そのため、先に説明したように、仮設堤防用袋体を、前記複数の接続点に接続した係留索によって、筒の長さ方向の複数箇所で係留して、前記筒が、水流によって押し流されて、途中で折れ曲がったりするのを防止する効果を、より一層、向上して、前記仮設堤防用袋体を、堤外から堤内へ向かう水流による流体力に抗して、より安定して係留させることができる。
【００２３】
また、前記仮設堤防用構造体においては、仮設堤防用袋体の、筒の、少なくとも一方の端面にも、係留索を接続するための接続点が少なくとも２つ、側面の接続点と同列に配列されていると共に、前記少なくとも２つの接続点が、１つの係留索に接続されているのが好ましい。その場合には、先に説明した係留作業の最初の段階で、仮設堤防用袋体の、前記端面側の先端部分を、１つの係留索を介して、やはりＹ字接続やＶ字接続をして、安定に係留させることができるため、その後の係留作業の作業性を、さらに向上させることができる。
【００２４】
本発明のアンカーは、仮設堤防用袋体を、係留索を介して、水底に係留するためのものであって、係留索に設けられた接続用リングを接続するための接続部を有し、水底に着底されるアンカー本体と、前記アンカー本体から上方へ延設されて、アンカー本体が水底に着底した状態で、先端が水面上に突出され、前記接続用リングの孔に通されて、前記接続用リングを、アンカー本体の接続部に案内するためのガイドポールとを備えることを特徴とするものである。
【００２５】
前記本発明のアンカーを、本発明の仮設堤防用袋体と組み合わせて使用することによって、堤防の決壊部分から堤内に流入する水量を抑えることができる仮設堤防を、ヘリコプター等を使用して、短時間で、簡単に、しかも安全に組み立てることができる。すなわち、決壊部分の所定の位置の水中に、空中からアンカーを投入して、アンカー本体を水底に着底させると共に、水面上に突出されたガイドポールの先端を、空中から、前記本発明の仮設堤防用袋体に接続された係留索に設けられた接続用リングの孔に通した状態で、前記接続用リングを水中に投入するだけで、前記接続用リングを、ガイドポールによって、アンカー本体の接続部に案内させて、前記接続部に、自動的に接続させることができる。
【００２６】
そのため、決壊部分において、堤外から堤内へ向かう水流による流体力に抗して、仮設堤防用袋体を、より安定して係留させるために、ある程度の重量を有していることが必要とされ、ヘリコプター等では、決壊部分まで搬送できる数が限られている、係留のために必要な数のアンカーと、前記アンカーに、係留索を介して接続される仮設堤防用袋体と、前記係留索とを、別個に、ヘリコプター等を使用して、決壊部分まで搬送して、先に説明したように、空中からの作業だけで、アンカーの着底と、前記アンカーへの係留索の接続とを行うことができるため、仮設堤防を、短時間で、簡単に、しかも安全に組み立てることができる。
【００２７】
したがって、本発明の仮設堤防の施工方法は、係留索に設けられた接続用リングを接続するための接続部を有し、水底に着底されるアンカー本体と、前記アンカー本体から上方へ延設されて、アンカー本体が水底に着底した状態で、先端が水面上に突出される、接続用リングを前記接続部に案内するためのガイドポールとを備えたアンカーを複数個、施工領域の水中に投入する工程と、前記各アンカーの、水面上に突出されたガイドポールの先端を、片面に、ゴムまたは樹脂からなる被覆層が被覆された布材によって、両端が閉じられた筒状に形成され、かつ、前記筒の側面に、係留索を接続するための複数の接続点が、前記筒の長さ方向に沿って一列に配列された仮設堤防用袋体の、前記接続点に接続された係留索に設けられた接続用リングの孔に通した状態で、前記接続用リングを水中に投入して、アンカー本体の接続部に接続して固定する作業を、アンカーごとに順次、実施する工程と、前記仮設堤防用袋体内に水を注入して膨らませる工程とを含むことを特徴とするものである。
【００２８】
また、施工領域が、河川の堤防の決壊箇所である場合には、先に説明した、ガイドポールの先端を、係留索に設けられた接続用リングの孔に通した状態で、前記接続用リングを水中に投入して、アンカー本体の接続部に接続して固定する作業を、河川の上流側のアンカーから下流側のアンカーに向けて、順に実施するのが好ましい。これにより、仮設堤防用袋体の筒が、水流によって押し流されて、途中で折れ曲がったりするのを防止しながら、筒状の仮設堤防用袋体を、堤防の決壊部分に、きれいに沿わせて係留することができるため、係留の作業性を向上することができる。
【発明を実施するための最良の形態】
【００２９】
図１は、本発明の仮設堤防用袋体の、実施の形態の一例を示す斜視図である。図１を参照して、この例の仮設堤防用袋体１は、布材の片面にのみ、ゴムまたは樹脂からなる被覆層が被覆された布材によって、両端が閉じられた筒状に形成されている。前記被覆層を形成するゴムとしては、クロロプレンゴム（ＣＲ）、エチレンプロピレンゴム（ＥＰＭ）、エチレンプロピレンジエンゴム（ＥＰＤＭ）等が挙げられる。
【００３０】
被覆層を、前記ゴムによって形成する場合は、未加硫のゴムと、加硫剤等とを溶剤に溶解したゴム糊を、布材の片面に、その反対面まで浸透させずに薄くコーティングすると共に、ゴムを加硫させればよい。ゴム糊を、布材の反対面まで浸透させずに薄くコーティングするためには、前記ゴム糊の粘度を調整するか、あるいはゴム糊に、いわゆるチキソ剤を加えてチキソトロピー性を付与したり、ゴム糊を、例えばナイフを用いたライナー塗布法や、スプレー塗布法等によって塗布したりすればよい。
【００３１】
また、被覆層を形成する樹脂としては、例えばウレアウレタン等の、２液硬化型のウレタン樹脂等が挙げられる。被覆層を、前記ウレタン樹脂によって形成する場合は、未硬化のウレタン樹脂を含む塗布液を、布材の片面に、その反対面まで浸透させずに薄くコーティングすると共に、ウレタン樹脂を硬化反応させればよい。塗布液を、布材の反対面まで浸透させずに薄くコーティングするためには、前記と同様の方法を採用すればよい。
【００３２】
ゴム糊や樹脂の塗布液の粘度は、前記ゴム糊や樹脂の塗布液が、繊維の目の中に入り込んで加硫または硬化反応されることで、布材の曲げ剛性が上昇して、ロール状に小さく巻き込んだり、折り畳んだりしにくくなるのを、より確実に防止することを考慮すると１０Ｐａ・ｓ以上であるのが好ましい。
また、未加硫のゴムと、加硫剤等とを含むゴムのフィルムを、布材の片面に重ねて、熱プレス等することで熱溶着させると共に、ゴムを加硫させて被覆層を形成することもできる。また、例えば軟質の熱可塑性樹脂からなるフィルムを、同様に、布材の片面に重ねて、熱プレス等することで熱溶着させて被覆層を形成することもできる。
【００３３】
前記被覆層の、布材１ｍ２あたりの被覆量は、仮設堤防用袋体１の全体の柔軟性を向上して、ロール状に小さく巻き込んだり、折り畳んだりすることを、さらに容易にすると共に、より一層、軽くすることを考慮すると２ｋｇ／ｍ２以下であるのが好ましい。また、被覆層による、前記仮設堤防用袋体１の全体に、内部に注水して膨らませるための不透水性を付与する効果を維持することを考慮すると、前記被覆層の、布材１ｍ２あたりの被覆量は、前記範囲内でも０．３ｋｇ／ｍ２以上であるのが好ましく、前記不透水性を維持しながら、仮設堤防用袋体の柔軟性をさらに向上し、かつ軽くすることを考慮すると１．０〜１．５ｋｇ／ｍ２であるのがさらに好ましい。
【００３４】
被覆層は、布材の、袋体の内側面となる面、および外側面となる面の、いずれに形成してもよい。被覆層を、布材の、袋体の内側面となる面に形成した場合には、前記薄い被覆層が、布材によって保護されることになるため、前記被覆層が、仮設堤防用袋体１を保管したり搬送したりする際や、内部に注水して膨らませた状態で、水底に着底させた際等の摩擦によって失われたり、流木等の衝突によって削られたりして、前記被覆層による不透水性が失われるのを防止することができる。
【００３５】
一方、被覆層を、布材の、袋体の外側面となる面に形成した場合には、例えば前記布材が、アラミド繊維等の、高強度ではあるものの、耐光性が低く、日光が当たると劣化する傾向のある繊維等からなる場合に、布材を、前記日光等の外部環境から遮断できるため、前記布材を形成する繊維が、長期間の保管によって劣化して、布材の抗張力が低下したりするのを防ぐことができる。ただし、仮設堤防用袋体１の保管時に、布材に日光等が当たらないように遮断して保管する等の措置を取ることによって、繊維の劣化を防ぐことができる場合には、この限りではない。そのため、被覆層を、布材のいずれの面に被覆するかは、布材を形成する繊維や、被覆を形成するゴム、樹脂等の種類、その他の条件に応じて、適宜、選択することができる。
【００３６】
水中で注水することによって膨らませた仮設堤防用袋体１の形状を、外部の水圧に抗して維持するためには、その内圧を、およそ９．８ｋＰａ以上とする必要があり、また、前記仮設堤防用袋体１としては、注水して膨らませた状態での高さが、例えば利根川等の大規模河川の堤防の場合は５ｍ以上、要求されることから、仮設堤防用袋体を形成する布材は、破断したりしないため、先に説明したように、安全率を考慮して、幅１ｃｍあたりの引張強度が９８０Ｎ／ｃｍ以上であるのが好ましい。
【００３７】
前記引張強度の範囲を満足しうる布材としては、先に説明したアラミド繊維や、ポリエステル繊維等の合成繊維からなる布材が挙げられる。特に、アラミド繊維からなる布材は、高い抗張力を有する上、流木等が衝突した際に切れたりしない、高い耐カット性を有することから、仮設堤防用袋体１を形成する布材として好適に使用される。引張強度の上限は、特に限定されないが、引張強度が高すぎる布材は、それ自体が剛直になりすぎて、柔軟性が低下してしまい、ロール状に小さく巻き込んだり、折り畳んだりするのが容易でなくなってしまうおそれがあることから、幅１ｃｍあたり９８００Ｎ／ｃｍ以下であるのが好ましく、前記柔軟性を維持しながら、抗張力をさらに向上することを考慮すると、７０００〜５０００Ｎ／ｃｍであるのがさらに好ましい。
【００３８】
図１を参照して、前記筒状の仮設堤防用袋体１の外側面には、筒の長さ方向の複数箇所に、前記筒の周方向に沿う補強帯２が設けられていると共に、筒の周方向の複数箇所に、前記筒の長さ方向に沿う補強帯３が設けられている。前記補強帯２、３は、仮設堤防用袋体１の全体を補強して、その形状を、図に示す筒状に維持すると共に、大きさの限られた布材を複数枚、縫合して、図の筒状に形成する際に、前記縫合部分を補強するために機能する。
【００３９】
なお、図示していないが、筒の内側の、外側の補強帯２、３と重複する位置にも、補強帯を設けておくのが好ましい。例えば、布材の縫合部分では、端を折り返した２枚の布材を互いに重ね合わせると共に、前記重ね合わせた部分を挟むように、内外の補強帯を重ねた状態で、前記積層体を縫合することによって、前記２枚の布材が、補強帯によって補強された状態で縫合される。補強帯２、３は、任意の布材で形成できるが、特に、仮設堤防用袋体を形成するのと同じ繊維製の布材、あるいは前記布材の片面に、同じ被覆層を被覆した布材によって形成するのが、仮設堤防用袋体１の不透水性を維持しながら、補強効果を高める上で好ましい。
【００４０】
図１を参照して、仮設堤防用袋体１の、筒の手前側の端面の中央部には、前記仮設堤防用袋体１の内部に注水して膨らませるための配管（図示せず）が接続される接続口４が設けられている。また、前記端面の、前記接続口４を挟む左右の位置と、仮設堤防用袋体１の側面の、前記位置と同じ高さの位置には、係留索を接続するための接続点として機能する複数の接続部材５が、筒の長さ方向に沿って一列に配列されている。詳しくは、筒の側面、および筒の端面に引き回された、筒の長さ方向に沿う１本の補強帯３の、筒の周方向に沿う複数本の補強帯２との交差部分に取り付けられることで、前記各接続部材５が、筒の長さ方向に沿って一列に配列されている。
【００４１】
そのため、例えば、決壊部分の上流側にアンカーを投入して、まず、筒の上流側の端面に設けた前記接続部材５を、前記アンカーに、係留索を介して接続した後、筒の側面に設けた複数の接続部材５を、河川の上流から下流へ向けて、順に、係留索を介して、対応するアンカーに接続してゆくことによって、筒が、水流によって押し流されて、途中で折れ曲がったりするのを防止しながら、仮設堤防用袋体１を、堤防の決壊部分に、きれいに沿わせて係留することができ、係留の作業性を向上することができる。また、注水して膨らませた仮設堤防用袋体１を、前記複数の接続部材５に接続した複数の係留索によって、筒の長さ方向の複数箇所で係留することによって、前記筒が、係留時に、水流によって押し流されて、途中で折れ曲がったりするのを防止することもできる。
【００４２】
図２は、図１の例の仮設堤防用袋体１を、内部に注水して膨らませて水底６に着底させると共に、接続点としての接続部材５に係留索７を接続して、例えば堤防の決壊部分の水８中で係留した状態を示す、筒の長さ方向と交差する高さ方向の断面図である。図２を参照して、前記仮設堤防用袋体１は、図中に実線の矢印で示すように、決壊部分の堤外から堤内へ流入する水流の上流側（図において左側）に着底される、図示しないアンカーに、筒の長さ方向と交差する高さ方向では、その１点に設けた接続部材５で、係留索７を介して接続される。
【００４３】
そのため、例えば、接続口４を通して仮設堤防用袋体１内に注水する水圧を調整して、図中に白抜きの矢印で示す、前記仮設堤防用袋体１の内圧を調整することによって、その断面形状を、図に示すように、前記水流の影響によって、水流の上流側（堤外側）の、係留索７が接続された接続部材５の部分において尖った、略西洋梨形にすることができ、高さ方向の２点以上で係留する場合に比べて、前記仮設堤防用袋体１の、水流に対する抗力係数を小さくすることができる。したがって、先に説明した、接続部材５を、筒の長さ方向の複数箇所に設けたことによる効果と相まって、仮設堤防用袋体１を、決壊部分において、堤外から堤内へ流入する水流による流体力に抗して、より安定して係留させることが可能となる。
【００４４】
なお、仮設堤防用袋体１の、水流に対する抗力係数を小さくして、前記流体力に抗して、より安定して係留させると共に、水流が、水底６に着底させた仮設堤防用袋体１の下側に入り込んで、前記水底６の土砂を流し出す、いわゆる洗掘が発生するのを防止することを考慮すると、前記仮設堤防用袋体１は、図２の係留状態での、水底６からの最大高さＨと、筒の長さ方向と交差する幅方向の最大幅Ｗとが、式(1)：
Ｗ≧１．２Ｈ      (1)
を満足する範囲内であるのが好ましい。
【００４５】
そのためには、前記高さ方向の断面形状を、図の略西洋梨形等に維持するために、仮設堤防用袋体１の内圧を、水流の流速等に応じて調整すればよい。また、その際に、最大高さＨが、仮設堤防に求められる所定の高さを満足できるようにするためには、筒の周方向の周長を、断面形状が円である場合の周長、すなわちπ×Ｈより、およそ１０％以上、長めに設定しておくのが好ましい。
【００４６】
ただし、それだけでは、水流の流速等の変動によって、高さ方向の断面形状が、式(1)を満足できない場合を生じるおそれがあり、どのような条件の変動が生じても、式(1)を満足し続けることができるようにするためには、前記仮設堤防用袋体１の内部の、前記水流の上流側に、図３に示すように、高さ方向への拡がりを規制して、最大高さＨと、最大幅Ｗとを、式(1)の範囲内とするための膜ウェブ９が、例えば、筒の長さ方向の複数箇所に設けられているのが好ましい。
【００４７】
また、仮設堤防用袋体１の上を超えた水流が、前記仮設堤防用袋体１上から、ほぼ鉛直方向に流れ落ちて、前記仮設堤防用袋体１の、水流の下流側において洗掘が発生するのを防止することを考慮すると、図４に示すように、膜ウェブ９は、図４に示すように、水流の上流側だけでなく、下流側の、例えば、筒の長さ方向の複数箇所にも、設けられているのが好ましい。前記下流側の膜ウェブ９を設けることで、図に見るように、仮設堤防用袋体１の上面を、前記水流の下流側において、水底６に対して傾斜した形状として、仮設堤防用袋体１の上を超えた水流が、ほぼ鉛直方向に流れ落ちるのを防止することができる。
【００４８】
図５は、図１の例の仮設堤防用袋体１の側面および端面に配列された接続部材５を拡大した正面図である。図１および図５を参照して、接続部材５は、前記両方向の補強帯２、３の、交差部分の重なりによって形成される矩形状の領域に、ボルト１０によって固定された、平板状で、かつ矩形状の固定金具１１と、前記固定金具１１に対して、ヒンジ部１２を中心として、図示した下向きの位置から、図と逆の上向きの位置までの間の任意の向きに回転可能に取り付けられた、係留索が接続される接続金具（Ｄ環）１３とを備えている。
【００４９】
このうち、矩形状の固定金具１１は、両方向の補強帯２、３の、交差部分の重なりによって形成される矩形状の領域よりも、その平面形状が小さいことが好ましい。すなわち、前記固定金具１１は、図において横方向の寸法Ｌ１が、周方向に沿う補強帯２の幅によって規定される、前記矩形状の領域の横方向の寸法Ｌ２よりも小さく（Ｌ１＜Ｌ２）、かつ、縦方向の寸法Ｌ３が、長さ方向に沿う補強帯３の幅によって規定される、前記矩形状の領域の縦方向の寸法Ｌ４よりも小さい（Ｌ３＜Ｌ４）ことが好ましい。これにより、前記固定金具１１の周縁が、全て、両補強帯２、３の重なりによって二重（布材の裏側にも補強体を設けた場合は四重）に補強された前記領域内に収まることになるため、係留索に、様々な方向から張力が加わった際等に、固定金具１１の周縁に応力が集中することによって、仮設堤防用袋体１を形成する布材が破れたりするのを、確実に防止することができる。
【００５０】
図６は、接続点の変形例を示す正面図である。図の例では、両方向の補強帯２、３の、交差部分の重なりによって形成される矩形状の領域の上下左右、計４箇所の、補強帯２上、および補強帯３上に、それぞれ、図２の例と同様の、４つの接続部材５を取り付けることによって、前記交差部分に、係留索を接続するための接続点が設けられている。すなわち、前記４つの接続部材５の接続金具１３間を、例えば、先端が十字型に分岐した１つの係留索で繋ぐことによって、前記係留索が、両方向の補強帯２、３の交差部分に接続される。
【００５１】
図の例の場合、１つの接続点を構成するために４つの接続部材５を必要とするものの、係留索に、様々な方向から張力が加わった際に、前記張力を、４つの接続部材５によって分担できるため、各接続部材５の固定金具１１の周縁に集中する応力を減じて、仮設堤防用袋体１を形成する布材が破れたりするのを防止することができる。また、１つの係留索を、前記４点で支えることになるため、係留の安定性を向上することもできる。
【００５２】
図７は、仮設堤防用袋体１の変形例を示す、長さ方向と交差する高さ方向の断面図である。図７を参照して、この例の仮設堤防用袋体１は、その内部が、筒の周方向の上端と下端とを繋ぎ、かつ、前記筒の長さ方向の全長に亘る仕切膜１４によって、図において左右２つの領域１５、１６に仕切られている点が、先の例と相違している。
前記仕切膜１４は、例えば、仕切られた右側の領域１５に注水した際には、図中に実線で示すように、左側の領域１６の方向へ突出するように変形して、前記左側の領域１６を形成する筒の内周面に沿い、逆に、左側の領域１６に注水した際には、二点差線で示すように、右側の領域１５の方向へ突出するように変形して、前記右側の領域１５を形成する筒の内周面に沿うように、筒の、上端と下端とを結ぶ円弧と略同寸法に形成されている。
【００５３】
そして、例えば、前記右側の領域１５に注水して仮設堤防用袋体１を膨らませた状態で使用中に、流木等が衝突して、前記領域１５が破られて、その破口から水が流出して、膨らませた形状を維持することができなくなった際には、仕切膜１４で仕切られた左側の領域１６に注水することによって、前記仕切膜１４を逆方向に突出するように変形させて、短時間で、仮設堤防用袋体１を膨らませた形状を復活させることができる。そのため、仮設堤防用袋体１が破られた際の安全性を向上することができる。
【００５４】
なお、前記２つの領域１５、１６に、それぞれ別個に注水するためには、例えば、図１において手前側の端面に設けた接続口４を右側の領域１５と繋ぐと共に、図示しない反対側の端面にも接続口を設けて、前記接続口を左側の領域１６と繋ぎ、かつ、それぞれの接続口に、別個に、注水のためのポンプ等を接続すればよい。
図８は、仮設堤防用袋体１の、他の変形例を示す、長さ方向と交差する高さ方向の断面図である。図８を参照して、この例の仮設堤防用袋体１は、その内部に、多数のシート片１７が収容された点が、先の例と相違している。図の例の仮設堤防用袋体１では、注水して膨らませた状態で使用中に、流木等が衝突して、仮設堤防用袋体１が破られて、その破口から水が流出しだすと、その水流に乗って、前記シート片１７が多数、破口の周囲に集まって、水圧によって、前記破口を塞いだ状態で、仮設堤防用袋体１の内側面に押し付けられるため、それによって、前記仮設堤防用袋体１の、膨らませた形状を維持することができる。そのため、仮設堤防用袋体１が破られた際の安全性を向上することができる。
【００５５】
前記シート片１７としては、例えば、比重が水に近い樹脂やゴム等からなり、注水して膨らませた仮設堤防用袋体１内において、沈降して堆積したりすることなく、図に示すように、水中に、ほぼ均一に漂って存在して、前記仮設堤防用袋体１が破られて、その破口から水が流出しだした際に、すぐに、破口の周囲に集まって前記破口を塞ぐために機能することができる、５０〜１００ｍｍ角程度の矩形状のシート片が好ましい。
【００５６】
図９は、前記図１の仮設堤防用袋体１を、係留索を介して、堤防の決壊部分の水底等に係留するために用いる本発明のアンカーの、実施の形態の一例を示す、一部切り欠き斜視図である。図９を参照して、この例のアンカー１８は、三角形平板状に形成された、水底に着底されるアンカー本体１９と、前記アンカー本体１９の、三角形の中心から上方へ延設されて、アンカー本体１９が水底に着底した状態で、その先端が水面上に突出されるガイドポール２０とを備えている。
【００５７】
また、アンカー本体１９の、三角形の角の部分には、それぞれ下方へ向けて、前記アンカー本体１９を着底させた際に、水底の土砂に圧入されて、着底をより確実なものとするための、３本の爪部材２１が突設されている。また、アンカー本体１９の上面の、ガイドポール２０の基部の周囲には、係留索７の末端に設けられた接続用リング２２を接続するための接続部を構成する係合爪２３が設けられている。
【００５８】
ガイドポール２０は、その先端が水面上に突出された状態で、前記接続用リング２２の孔に通されて、接続用リング２２を、前記アンカー本体１９の接続部に案内するために機能する。また、接続部を構成する係合爪２３は、ガイドポール２０によって案内された接続用リング２２が、アンカー本体１９の上面に到達した際に、その重みによって、図に示すように、接続用リング２２と係合して、前記接続用リング２２を、アンカー本体１９に接続するために機能する。
【００５９】
図１０は、前記アンカー１８を使用して、本発明の仮設堤防用袋体１を、堤防２５の決壊部分の水底に係留して仮設堤防を施工するための施工方法の一工程を説明する平面図である。図１０を参照して、前記係留状態では、図１の仮設堤防用袋体１の、河川の上流側（図において上側）の端面に設けた、接続点としての２つの接続部材５を、アンカー１８に接続される接続用リング２２を有する１つの係留索７に、Ｙ字接続すると共に、堤外側（図において左側）の側面に設けた複数の接続部材５を、隣り合う少なくとも２つごとに、アンカー１８に接続される接続用リング２２を有する１つの係留索７に、Ｙ字接続することで、先に説明した本発明の仮設堤防用構造体２４が構成されており、１つの係留索を、１つの接続部材に接続する場合に比べて、係留の安定性を向上させることができる。
【００６０】
仮設堤防用袋体１を、図１０に実線の矢印で示すように、増水して多量の水が、河川を上流から下流へ、そして堤防２５の決壊部分において、堤外から堤内へ流れている水中に投入して、前記決壊部分に係留するためには、まず、ヘリコプター等を使用して、複数個（図では５個）のアンカー１８を、施工領域に搬送して、前記施工領域の水中の、所定の位置に投入して着底させる。投入する位置を決定するためには、例えばＧＰＳ（全地球測位システム）等を利用すればよい。この際、アンカー１８としては、ガイドポール２０の長さが異なる数種のものを用意しておき、投入する領域の水深に応じて、その先端が、確実に水面上に突出する長さのガイドポール２０を有するアンカー１８を選択して使用するのが好ましい。
【００６１】
またアンカー１８は、決壊部分において、注水して膨らませた状態の仮設堤防用袋体１が、堤外から堤内へ流入する水流による流体力によって押し流されるのを防いで、確実に、係留することを考慮すると、ある程度の重量を要している必要があるのに対し、ヘリコプター等で搬送できる重量には制限があることから、搬送可能な数のアンカー１８を、繰り返し、施工領域に搬送して投入するようにするのが好ましい。
【００６２】
次に、全てのアンカー１８の投入が完了した段階で、ロール状に小さく巻き込んだり、折り畳んだりした仮設堤防用袋体１と、係留索７とを、ヘリコプター等を用いて施工領域に搬送して、前記施工領域の空中で、まず、前記仮設堤防用袋体１の端面の接続部材５に係留索７を接続すると共に、前記係留索７の末端の接続用リング２２の孔に、河川の最上流側に着底させたアンカー１８のガイドポール２０を通した状態で、前記接続用リング２２を水中に投入して、前記アンカー１８の、アンカー本体１９の接続部に接続して固定する。この際、接続用リング２２を、アンカー本体１９の接続部に、より確実に接続させることを考慮すると、係留索７の長さを、施工領域の水深よりも長くするのが好ましい。
【００６３】
次に、仮設堤防用袋体１の側面の接続部材５に、河川の上流側から順に、前記と同じ手順で、係留索７を接続して、前記係留索７の末端の接続用リング２２の孔に、河川の上流側から下流側に順に配列させて着底されたアンカー１８のうち、対応する最も近いアンカー１８のガイドポール２０を通した状態で、前記接続用リング２２を水中に投入して、前記アンカー１８の、アンカー本体１９の接続部に接続して固定する作業を繰り返すと共に、仮設堤防用袋体１の、上流側の端面の接続口４に、ポンプ２６を、送水管２７を解して接続する。
【００６４】
そして、前記ポンプ２６の吸水管２８の先端を水中に投入してポンプ２６を作動させて、仮設堤防用袋体１内に注水して膨らませると、前記仮設堤防用袋体１が施工領域の水底に着底されて、図１０に示す仮設堤防が構成される。決壊場所が、１つの仮設堤防用袋体１の長さよりも大きい場合は、図中に二点差線で示すように、前記の作業を繰り返すことで、２つ以上の仮設堤防用袋体１を、連続させて設置して行けばよい。
【００６５】
例えば、堤外から堤内へ向かう水流の流速を５ｍ／ｓｅｃと仮定した場合、注水して膨らませた状態の仮設堤防用袋体１に加わる荷重ｗ１は、式(2)：
ｗ１＝１／２×ρ×ＣＤ×Ａ×Ｕ２      (2)
で求められる。なお、式中のρは水の密度（＝９８０Ｎ・Ｓ２・ｍ４）、ＣＤは抗力係数、Ａは仮設堤防用袋体１の投影面積、Ｕは流速（＝５ｍ／ｓｅｃ）である。なお、抗力係数ＣＤは、仮設堤防用袋体１が、前記式(1)を満足する、略西洋梨形等の断面形状を有する場合、およそ０．４とする。この荷重Ｗを、例えば図２中の高さＨが５ｍである仮設堤防用袋体１の、幅１ｍ分について計算すると、およそ２４．５ｋＮ／ｍとなる。
【００６６】
これに対し、アンカー１８の、水底との摩擦係数（把駐力係数）αを２とすると、式(3)：
Ｆ＝α×ｗ２      (4)
〔式中、αは、アンカー１８の、水底との摩擦係数（＝２）、ｗ２は、アンカー１８の総重量である。〕
で求められる、水流による流体力によってアンカー１８が滑り出す力Ｆを、前記荷重ｗ１よりも大きくして、アンカー１８が、前記流体力によって滑り出すのを防止するためには、前記仮設堤防用袋体１の、幅１ｍあたりのアンカー１８の重量を、およそ１２５０ｋｇ以上にしなければならない。そのため、例えば、仮設堤防用袋体１の全長が５０ｍである場合を考えると、アンカー１８の総重量は、１２５０ｋｇ×５０＝６２５００ｋｇ（＝６２．５トン）以上、必要となる。
【００６７】
しかし、先に説明したように、ヘリコプター等を用いて、一度に搬送できる重量の限界は、およそ８トン程度であるため、あらかじめ、アンカー１８と仮設堤防用袋体１とを、係留索７で接続したものを、一度に、ヘリコプター等を用いて搬送することは、実質的に不可能である。これに対し、前記施工方法によれば、係留のために必要な数のアンカー１８と、前記アンカー１８に、係留索７を介して接続される仮設堤防用袋体１と、前記係留索７とを、別個に、ヘリコプター等を使用して、決壊部分まで次々と搬送して、先に説明したように、空中からの作業だけで、アンカー１８の着底と、前記アンカー１８への係留索７の接続とを行うことができるため、仮設堤防を、短時間で、簡単に、しかも安全に組み立てることができる。
【００６８】
本発明の構成は、以上で説明した図の例に限定されるものではない。例えば、仮設堤防用袋体は、図の例に示した筒状ではなく、略球状等に形成してもよい。その他、本発明の要旨を変更しない範囲で、種々の設計変更を施すことができる。
【図面の簡単な説明】
【００６９】
【図１】本発明の仮設堤防用袋体の、実施の形態の一例を示す斜視図である。
【図２】図１の例の仮設堤防用袋体を、内部に注水して膨らませて水底に着底させると共に、接続点としての接続部材に係留索を接続して、例えば堤防の決壊部分の水中で係留した状態を示す、筒の長さ方向と交差する高さ方向の断面図である。
【図３】仮設堤防用袋体の変形例を示す、長さ方向と交差する高さ方向の断面図である。
【図４】仮設堤防用袋体の変形例を示す、長さ方向と交差する高さ方向の断面図である。
【図５】図１の例の仮設堤防用袋体の側面および端面に配列された接続部材を拡大した正面図である。
【図６】接続点の変形例を示す正面図である。
【図７】仮設堤防用袋体の変形例を示す、長さ方向と交差する高さ方向の断面図である。
【図８】仮設堤防用袋体の変形例を示す、長さ方向と交差する高さ方向の断面図である。
【図９】図１の仮設堤防用袋体を、係留索を介して、堤防の決壊部分の水底等に係留するために用いる本発明のアンカーの、実施の形態の一例を示す、一部切り欠き斜視図である。
【図１０】前記アンカーを使用して、本発明の仮設堤防用袋体を、堤防の決壊部分の水底に係留して仮設堤防を施工するための施工方法の一工程を説明する平面図である。
【符号の説明】
【００７０】
１     仮設堤防用袋体
２     補強帯
３     補強帯
４     接続口
５     接続部材
６     水底
７     係留索
８     水
９     膜ウェブ
１０   ボルト
１１   固定金具
１２   ヒンジ部
１３   接続金具
１４   仕切膜
１５   領域
１６   領域
１７   シート片
１８   アンカー
１９   アンカー本体
２０   ガイドポール
２１   爪部材
２２   接続用リング
２３   係合爪
２４   仮設堤防用構造体
２５   堤防
２６   ポンプ
２７   送水管
２８   吸水管
【図１】
2008156847.tif 000003
【図２】
2008156847.tif 000004
【図３】
2008156847.tif 000005
【図４】
2008156847.tif 000006
【図５】
2008156847.tif 000007
【図６】
2008156847.tif 000008
【図７】
2008156847.tif 000009
【図８】
2008156847.tif 000010
【図９】
2008156847.tif 000011
【図１０】
2008156847.tif 000012